(57)【特許請求の範囲】
【請求項１】
本体部と扉部とを備えた遊技台であって、
前記扉部が開いて前記本体部とのバランスが崩れた状態の遊技台の転倒を防止するスタンドを備え、
前記スタンドは、前記扉部の下面に回動可能に装着され、遊技台を遊技店の島に設置後、前記扉部が閉じた状態のとき及び／または前記扉部が開いた状態のとき、先端部分が前記扉部の前面から突出してこれを遊技者が利用可能なことを特徴とする遊技台。
【発明の詳細な説明】
【技術分野】
【０００１】
本発明は、スロットマシン（パチスロ）、パチンコ機に代表される遊技台に関する。
【背景技術】
【０００２】
遊技台の一つとしてスロットマシンが従来より知られている。このスロットマシンは、例えば、複数種類の絵柄が施された複数のリールと、メダルの投入を前提条件として、リールの回転開始を指示するスタートスイッチと、各リールに対応して設けられ、各リールを個別に停止させるためのストップスイッチと、予め定めた入賞役の内部当選の当否を抽選により判定する抽選手段と、入賞役に内部当選した場合であって、停止時のリールによって表示される絵柄の組合せが、内部当選した入賞役に対応して予め定めた絵柄の組合せである場合に、その入賞役に入賞し、払い出しが必要な場合には所定数のメダルを払い出すメダル払出装置等と、を諸装置として備えている。
【０００３】
そして、スロットマシンには、前記したリールや、このリールを駆動するためのモータ、遊技の演出を行うための表示装置等、或いはこれらを制御するための制御装置が諸装置として収設してある。また、諸装置には電源を必要とするものがあり、この電源として例えば商用電源であるＡＣ１００Ｖが用いられ、電源装置により所定の電圧・電流に変換して諸装置に供給している。
【０００４】
また、遊技台であるスロットマシンは、前面側が開口する箱枠状のキャビネット（以下、本体部ということがある）と、このキャビネットの開口部を閉止可能に装着される前面扉（以下、扉部ということがある）と、を基本構造とし、キャビネット及び前面扉に、リールや表示装置等の諸装置を取り付けて構成している。
【０００５】
そして、スロットマシンのキャビネットを構成している左右側板の前辺は、後方へ向けてやゝ傾斜している。具体的には、キャビネットは、上板と、この上板と同じ横幅を有すると共に前後方向の長さが上板より若干長い底板と、上板の後辺の位置と底板の後辺の位置とを一致させた状態で、後方部分を閉塞する後板と、上板と底板との間の左右側面を閉塞する一対の側板と、により、前面側が開口する箱枠状に構成してある。このとき、側板は、上辺の長さが上板の前後方向の長さに一致し、下辺の長さが底板の前後方向の長さに一致する台形に形成され、前辺の上端が後方へ下がって前辺が後傾している。従って、キャビネットを側方から見ると、前辺が傾斜する台形となる。
【０００６】
一方、前面扉は、前記キャビネットの一方の側板の傾斜する前辺に、一対のヒンジ装置を介して開閉可能に装着される。このため、前面扉を開放する際には、斜めに位置する軸を中心にして回動するため、前面扉の下辺の位置が開放に伴って上昇することになり、この上昇量は自由端側の先端へ向う程大きい。また、前面扉が回動すると、この前面扉に設けた諸装置の重量により、前面扉の重心が外側に移動すると共に、スロットマシン全体の重心が移動し、キャビネットの底板から外れることがあり、前面扉を開いた状態では、バランスが崩れて不安定な状態となる。
【０００７】
ところで、この遊技台を検査・メンテナンス等のために設置した遊技島から外した場合、或いは工場における出荷待ちや、遊技店における設置待ちなどで、一時的に保管する場合など、遊技台を床面上に載置することがある。このとき、遊技台は、上板よりも底板の面積が大きく形成されているので、単独で置かれた場合は比較的安定して起立していることができる。しかしながら、前記したように前面扉を回動させて開いた状態では、非常に不安定な状態になっている。従って、前面扉を開いた状態では、非常に転倒し易く、転倒による破損などの事故がしばしば発生している。
【０００８】
そこで、遊技台の転倒防止対策として、転倒防止用脚片を備えるパチンコ機が開示されている（例えば、特許文献１参照）。
【０００９】
【特許文献１】実開平２００４−２２３１１１号公報
【発明の開示】
【発明が解決しようとする課題】
【００１０】
しかしながら、最近の遊技台は、遊技者に視覚的または聴覚的な面白味を増すために、これを実現させる様々な装置を設け、遊技台全体としての重量が増加する傾向にある。例えば、スロットマシンの多くは、前面扉に大型の液晶表示装置と、これを制御するための制御装置とを取り付けており、前面扉の重量が従来と比較して格段に重くなっている。
【００１１】
そこで、前面扉を開けた状態で、スロットマシンの点検作業等を行なう場合、リールやホッパー等の諸装置が取り外されたキャビネット側の重量と、前面扉側の重量とが均衡し、または前面扉側の重量がキャビネット側の重量を上回るケースが生じる。
【００１２】
従って、前面扉を開放して行う点検時にはバランスが非常に不安定であり、倒れ易い状態にある。また、スロットマシンでは、キャビネットを構成する側板の前面扉に接する前辺が、底板側から上板側に向って前方から後方に向けて傾斜しているので、これに沿って取り付けられ前面扉を開けた場合、前面扉の側辺のうち、キャビネットとの連結具、即ちヒンジ装置が取り付けられていない側辺が、前面扉が開放されて行くに従って上昇移動する。すると、例えば前面扉をキャビネットに対して９０度開放させた場合、前面扉の底辺とキャビネットを構成する側板の下辺とがＶ字状に位置することになる。このため、スロットマシンは、キャビネットの底板を床面に接し、前面扉の下面と床面との間にＶ字状の空間を生じさせた位置と、前面扉の下面を床面に接し、キャビネットの底板の後辺を上昇させて底板と床面との間にＶ字状の空間を生じさせた位置と、の間をシーソーのように移動し合う不安定なバランス状態となる。この状態では、不意に何らかのものに接触することで、例えば通行人が触れることで、スロットマシンが倒れる恐れが極めて高い。
【００１３】
本発明はかかる点を鑑みてなされたものである、その課題とするところは、諸装置を備えて重量が増加した扉部が開かれた状態にあっても安定して起立する遊技台を提供することにある。
【課題を解決するための手段】
【００１４】
前記課題を解決するために、請求項１に係る発明は、本体部と扉部とを備えた遊技台であって、前記扉部が開いて前記本体部とのバランスが崩れた状態の遊技台の転倒を防止するスタンドを備え、前記スタンドは、前記扉部の下面に回動可能に装着され、遊技台を遊技店の島に設置後、前記扉部が閉じた状態のとき及び／または前記扉部が開いた状態のとき、先端部分が前記扉部の前面から突出してこれを遊技者が利用可能なことを特徴とする遊技台である。
【発明の効果】
【００２０】
請求項１に係る発明によれば、扉部が開いている遊技台の転倒を防止することができる。即ち、扉部が開いてバランスを崩したり、通行人がぶつかり易くなって、転倒し易い遊技台が転倒しないようにすることが可能である。従って、遊技台の転倒による事故を未然に防止することができ、破損による損害や怪我等を防ぐと共に、安全にメンテナンス作業等を行なうことができる。
また、遊技者のバック等を掛けることができ、遊技者はバック等を抱えながら遊技を行なう必要がなく、遊技に集中できる。このため、遊技台の転倒を防止できるばかりではなく、遊技者の利便性を著しく高めることができる。
しかも、遊技台を遊技店の島に設置後、スタンドを使用しないときには収納しておくことができ、邪魔になることがない。一方、遊技者は、扉部が開いた状態でも、スタンドにバック等を掛けておくことができ、遊技者の利便性がさらに高い。
【発明を実施するための最良の形態】
【００２６】
遊技台を構成するための諸装置が収納された本体部と、この本体部に対して開閉可能な扉部とを備え、所定装置の取り外しに伴う移動時に、前記扉部が開いて前記本体部とのバランスが崩れた状態の遊技台の転倒を防止するスタンドと、前記所定装置に設けた当接部とが当接することにより、前記スタンドが非使用時の収納された収納位置から転倒防止機能を発揮する転倒防止位置へ移動して遊技台の転倒を防止するようにした。
【実施例】
【００２７】
＜全体の構成＞
図１は、本発明の実施例に係る遊技台としてのスロットマシン１００の外観を示す斜視図である。
【００２８】
図１に示すスロットマシン１００のキャビネット２１０の中央内部には、外周面に複数種類の絵柄が配置されたリールが３個（左リール１１０、中リール１１１、右リール１１２）収納され、スロットマシン１００の内部で回転できるように構成されている。本実施例において、各絵柄は帯状部材に等間隔で適当数（例えば２１絵柄）印刷され、この帯状部材が所定の円形枠材に貼り付けられて各リール１１０乃至１１２が構成されている。
【００２９】
前面扉１０２には絵柄表示窓１１３が設けられており、リール１１０乃至１１２上の絵柄は、遊技者から見ると、絵柄表示窓１１３から縦方向に概ね３つ表示され、合計９つの絵柄が見えるようになっている。そして、各リール１１０乃至１１２を回転させることにより、遊技者から見える絵柄の組み合せが変動することとなる。なお、本実施例では、３個のリールをスロットマシン１００の中央内部に備えているが、リールの数やリールの設置位置はこれに限定されるものではない。
【００３０】
また、各々のリール１１０乃至１１２の背面には、絵柄表示窓１１３に表示される個々の絵柄を照明するためのバックライト（図示省略）が配置されている。バックライトは、各々の絵柄ごとに遮蔽されて個々の絵柄を均等に照射できるようにすることが望ましい。
【００３１】
なお、スロットマシン１００内部において各々のリール１１０乃至１１２の近傍には、投光部と受光部から成る光学式センサ（図示せず）が設けられており、この光学式センサの投光部と受光部のあいだを、リールに設けられた一定の長さの遮光片が通過するように構成されている。このセンサの検出結果に基づいてリール上の絵柄の回転方向の位置を判断し、目的とする絵柄が入賞ライン１１４上に表示されるようにリール１１０乃至１１２を停止させる。
【００３２】
入賞ライン表示ランプ１２０は、有効となる入賞ラインを示すランプである。有効となる入賞ラインは、スロットマシン１００に投入された遊技媒体（本実施例ではメダルを想定する。）の数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００３３】
スタートランプ１２１は、リール１１０乃至１１２が回転することができる状態にあることを遊技者に知らせるランプである。再遊技ランプ１２２は、前回の遊技において入賞役の一つである再遊技に入賞した場合に、今回の遊技が再遊技可能であること（メダルの投入が不要）を遊技者に知らせるランプである。
【００３４】
告知ランプ１２３は、後述する内部抽選において、特定の入賞役（具体的には、ビッグボーナスやレギュラーボーナス等のボーナス）に内部当選していることを遊技者に知らせるランプである。メダル投入ランプ１２４は、メダルの投入が可能であることを知らせるランプである。リールパネルランプ１２８は、演出用のランプである。メダル投入ボタン１３０、１３１は、スロットマシン１００に電子的に貯留されているメダルを所定の枚数分投入するためのボタンである。
【００３５】
本実施例においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０又は１３１により電子的に投入することもできるし、メダル投入口１３４から実際のメダルを投入することもできる。
【００３６】
払出枚数表示器１２５は、何らかの入賞役に入賞した結果、遊技者に払出されるメダルの枚数を表示するための表示器である。遊技回数表示器１２６は、ビッグボーナスゲーム中（ＢＢゲーム中）の遊技回数や所定の入賞役の入賞回数等を表示するための表示器である。貯留枚数表示器１２７は、スロットマシン１００に電子的に貯留されているメダルの枚数を表示するための表示器である。
【００３７】
スタートレバー１３５は、遊技の開始操作として、各リール１１０〜１１２の回転を開始させるレバー型のスイッチである。
【００３８】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチである。なお、各ストップボタン１３７乃至１３９の内部に発光体を設けてもよく、ストップボタン１３７乃至１３９の操作が可能である場合、該発光体を点灯させて遊技者に知らせることもできる。
【００３９】
貯留／精算ボタン１３２は、スロットマシン１００に電子的に貯留されたメダルを精算し、メダル払出口１５５よりメダル受皿１７０に排出するための精算機能と、メダル投入口１３４に投入された４枚以降のメダルや入賞により獲得したメダルを最大５０枚まで電子的に貯留する貯留機能と、を切換えるためのボタンである。
【００４０】
メダル返却ボタン１３３は、投入されたメダルが詰まった場合に押下してメダルを取り除くためのボタンである。なお、前記スタートレバー１３５、ストップボタン１３７乃至１３９、貯留／精算ボタン１３２は、遊技者の操作を受け付けるための手段を構成する。
【００４１】
ドアキー１４０は、スロットマシン１００の前面扉１０２のロックを解除するためのキーを挿入する孔である。メダル払出口１５５は、メダルを払出すための払出口である。メダル受皿１７０は、メダル払出口１５５から払出されたメダルを溜めるための器である。なお、メダル受皿１７０は、本実施例では発光可能な受皿を採用しており、以下受皿ランプ１７０と呼ぶこともある。
【００４２】
音孔１６０は、スロットマシン１００内部に設けられているスピーカの音を外部に出力するための孔である。上部ランプ１５０、サイドランプ１５１、中央ランプ１５２、腰部ランプ１５３、下部ランプ１５４、受皿ランプ１７０は、遊技を盛り上げるための装飾用のランプであり、遊技状態に応じて点灯／消灯／点滅する。また、メダル受皿１７０には、着脱可能に構成した灰皿ユニット１８０が設けられている。
【００４３】
リールパネル１６１は、絵柄表示窓１１３を有するパネルであり、タイトルパネル１６２は、そのスロットマシンの機種名や各種のデザインが描かれるパネルである。演出装置６００は、本実施例では扉付きの液晶表示装置である。
【００４４】
＜制御部＞
次に、図２を参照してスロットマシンの制御部の構成について説明する。
【００４５】
本実施例における制御部は、全体を制御する主制御部３００と、遊技を盛り上げるための演出に関する制御等を遂行する副制御部４００と、演出装置６００を制御する液晶・扉制御部（図示省略）で構成されている。
【００４６】
＜主制御部＞
マイクロプロセッサ（以下、ＭａｉｎＣＰＵと称す）３１０は、スロットマシン１００における制御の中枢となるものであり、バス３７０を介して、周辺部との間で制御信号やデータの受渡が行われる。
【００４７】
乱数発生器３１１は、内部抽選等に用いられる乱数を発生するもので、複数のカウンタ、クロック発振器、分周器及びラッチ回路等で構成される。乱数発生器３１１が発生した乱数値は、バス３７０を介して、ＲＡＭ３１３の乱数記憶領域に記憶され、必要に応じてＭａｉｎＣＰＵ３１０へ送られる。
【００４８】
ＭａｉｎＣＰＵ３１０には、入力インターフェース３６０およびバス３７０を介して、メダル投入口ブロック１３４の投入口から投入されたメダルを検知するメダルセンサ３２０、スタートレバー１３５の操作を検知するスタートレバーセンサ３２１、ストップボタン１３７〜１３９のいずれかが押された場合、どのストップボタンが押されたかを検知するストップボタンセンサ３２２、及び、メダル投入ボタン１３０，１３１のいずれかが押下された場合、どのメダル投入ボタンが押されたかを検知するメダル投入ボタンセンサ３２３、精算ボタン１３２の押下に伴って動作する精算ボタンスイッチ３２４が接続されている。
【００４９】
ＲＯＭ（リード・オンリー・メモリ）３１２は、各種制御を行うためのプログラムや、後述する各種テーブルデータ等を記憶する記憶手段の一つである。ＲＡＭ（ランダム・アクセス・メモリ）３１３は、ＭａｉｎＣＰＵ３１０によって処理されるプログラムのワークエリアを有し、可変データ等を記憶する記憶手段の一つである。
【００５０】
また、各リール１１０〜１１２の回転と停止を行うモーター（図示省略）を制御するモーター制御部３３０、及び、メダル払出装置（いわゆる、ホッパー：図示省略）を制御するホッパー制御部３３１が、入出力インターフェース３３２及びバス３７０を介してＭａｉｎＣＰＵ３１０に接続されている。
【００５１】
演出用ランプ・表示器類３４０とは、図１で示した入賞ライン表示ランプ１２０、スタートランプ１２１、再遊技ランプ１２２等のランプ類や、払出枚数表示器１２５、遊技回数表示器１２６等の各種表示器をまとめて表したもので、出力インターフェース３４２およびバス３７０を介してＭａｉｎＣＰＵ３１０に接続されている。
【００５２】
出力インターフェース３５０は、ＭａｉｎＣＰＵ３１０の指示に基づき、各種のコマンドを副制御部４００の入力インターフェース４４０へ送信する。コマンドには、例えば、メダルが投入されたことを示すコマンド、スタートレバー１３５が操作されたことを示すコマンド、押されたストップボタン１３７〜１３９を示すコマンド、演出の内容（バックライト、上部ランプ１５０、音声出力、演出装置６００等による演出の内容）を規定したコマンド等がある。
【００５３】
＜副制御部４００＞
マイクロプロセッサ（以下、ＳｕｂＣＰＵと称す）４１０は、主制御部３００から送信された各種コマンドを入力インターフェース４４０およびバス４３０を介して受信し、受信したコマンドの内容に応じて副制御部４００全体を制御する。
【００５４】
ＲＯＭ４１１は、副制御部４００全体を制御するためのプログラムやデータ等を記憶する記憶手段の一つである。ＲＡＭ４１２は、ＳｕｂＣＰＵ４１０で処理されるプログラムのワークエリアを有し、可変データ等を記憶する記憶手段の一つである。
【００５５】
バックライト４２０は、リールの絵柄を照らすライトで、ＳｕｂＣＰＵ４１０の指示に従って点灯／点滅／消灯する。演出用ランプ４２１は、上部ランプ１５０、サイドランプ１５１、中央ランプ１５２、腰部ランプ１５３、下部ランプ１５４、受皿ランプ（メダル受皿１７０に設置）をまとめて表したもので、ＳｕｂＣＰＵ４１０の指示に従って点灯／点滅／消灯する。バックライト４２０および演出用ランプ４２１は、出力インターフェース４２２を介してバス４３０を経てＳｕｂＣＰＵ４１０と接続されている。
【００５６】
出力インターフェース４５０は、ＳｕｂＣＰＵ４１０の指示に基づき、各種制御データを液晶・扉制御部（図示省略）へ送信する。この制御データに基づいて、液晶・扉制御部は、演出装置６００を制御する。
【００５７】
楽音信号形成部４６０は、ＳｕｂＣＰＵ４１０から受け渡された制御信号やデータに基づいて、楽音信号を形成して出力する。この楽音信号は、アンプ４６１で増幅された後、スピーカ（具体的には上部スピーカ及び中央スピーカ）４６２から音として出力される。
【００５８】
＜遊技の基本的制御＞
図３は、本実施例のスロットマシン１００における遊技の基本的制御を示すフローチャートである。
遊技の基本的制御は、ＭａｉｎＣＰＵ３１０が中心になって行い、電源断等を検知しないかぎり、同図の処理を繰り返し実行する。
【００５９】
先ず、Ｓ１０１では、メダル投入処理として、メダルの投入数に応じた入賞ライン表示ランプ１２０の点灯等を行う。なお、メダル投入ボタン１３０，１３１によるクレジットによる投入も、メダル投入口ブロック１３４の投入口から、実際のメダルを投入する場合も同等に処理する。
【００６０】
Ｓ１０２では、遊技のスタート操作に関する処理を行う。スタートレバー１３５が操作された場合、投入されたメダル枚数を確定する。次いで、Ｓ１０３では、確定されたメダル枚数に基づいて、有効な入賞ライン１１４を確定する。
【００６１】
Ｓ１０４では、乱数発生器３１１で発生させた乱数値を取得する。
Ｓ１０５では、ＲＯＭ３１２に格納されている抽選データテーブルと、Ｓ１０４で取得した乱数値を用いて、入賞役の内部当選の当否を定める内部抽選を行う。なお、抽選データテーブルには、あらかじめ、ＢＢ、ＲＢ、小役等の抽選確率に応じたデータが格納されている。
【００６２】
Ｓ１０６では、例えば、演出装置６００においてどのような演出を行うか決めたり、ゲームを盛り上げるためキャラクター等を登場させる、演出抽選処理を行う。
【００６３】
Ｓ１０７では、Ｓ１０４で取得した乱数値を用いて、リール停止制御テーブルを選択し、各リール１１０〜１１２の回転を開始させる。
【００６４】
Ｓ１０８では、ストップボタン１３７〜１３９の受付が可能になり、いずれかのストップボタンが押されると、押されたストップボタンに対応するリールを、Ｓ１０５で選択したリール停止制御テーブルに基づいて停止させる。
【００６５】
Ｓ１０９では、入賞判定を行う。ここでは、有効化された入賞ライン１１４上に、入賞役に対応する絵柄組合せが表示された場合にその入賞役に入賞したと判定する。例えば、有効化された入賞ライン１１４上に、例えば「ベル−ベル−ベル」が揃っていたならば、ベル入賞と判定する。また、例えば「青７−青７−青７」が揃っていたならば、ＢＢ入賞と判定する。
【００６６】
Ｓ１１０では、払い出しのある何らかの入賞役に入賞していれば、その入賞役に対応する枚数のメダルを払い出す。
【００６７】
Ｓ１１１では、遊技状態を制御する。例えば、ＢＢ入賞時には、次の遊技からＢＢゲームが開始されるように準備をし、ＢＢ終了時には、次の遊技から通常の遊技が開始されるように準備させる。
【００６８】
＜本体内部構造＞
次に、本実施例のスロットマシン１００の内部構成について説明する。
図４は、スロットマシン１００の内部構成の概略を示す扉部を開いた斜視図である。本体部としてのキャビネット２１０の内部には、基板収納ケース及びリールユニット２２０や、図示を省略した電源ボックス、メダル払出装置５１０、メダル補助収納部５３０、中央スピーカユニット、副制御基板、外部中継端子板等の諸装置が配設されている。
【００６９】
キャビネット２１０は、上板２１１、底板２１２、後板２１３、及び左右の側板２１４からなる木製の箱体である。このキャビネット２１０内には、リールユニット２２０を設置するためのリールユニット載置台２１８が設けられている。なお、キャビネット２１０の左右の側板２１４には、取手部２０１が形成してある。
【００７０】
リールユニット２２０は、例えば図４や図５に示すように、樹脂製のケース２２１内にステッピングモータで駆動されるリール１１０乃至１１２を個別に着脱可能に取り付けて構成している。そして、このリールユニット２２０は、ケース２２１により３本のリールをユニット化し、キャビネット２１０に設けたリールユニット載置台２１８に対する着脱を容易に行えるように構成している。
【００７１】
キャビネット２１０の内部には、隠れているが、透明な樹脂ケースからなる基板収納ケースが、キャビネット２１０を構成している後板２１３の上部に取り付けられている。この基板収納ケースの内部空間には、スロットマシン１００の全体的な制御を行う主制御部３００を構成する電気部品を実装した主制御基板が収納されている。
【００７２】
また、同じく図示を省略した電源ボックスは、キャビネット２１０の後板２１３の壁面に装着され、金属製ケースの内部に、スロットマシン１００の諸装置へ必要な電力を供給するための電源基板が収納されている。
【００７３】
更に、キャビネット２１０の内部には、諸装置の一つとして、メダルを払い出すためのメダル払出装置５１０（以下、ホッパー５１０ということがある）が配設してある。メダル払出装置５１０は、ＤＣモーターで駆動されメダルを１枚ずつ払い出すと共に、メダルを払い出す毎に検出信号を出力する払出装置本体５１１と、払出装置本体５１１にメダルを供給するとともにメダルを蓄積するタンク５１２とで構成されている。そして、メダル払出装置５１０の横には、メダル補助収納部５３０が置かれており、前記メダル払出装置５１０がメダルでいっぱいになると、余分なメダルは流れ落ち、このメダル補助収納部５３０内に蓄積される。
【００７４】
図示を省略した背面スピーカユニットは、キャビネット２１０の後板２１３に設けられたスピーカと、スピーカからの効果音を前面扉１０２の音孔１６０まで案内するためのスピーカダクトとで構成されている。そして、スピーカから出力される中低音は、スロットマシン１００の背面から出力されるとともにスピーカダクトを介して音孔１６０からも出力される。
【００７５】
例えば図４において、キャビネット２１０を構成している左側の側板２１４の内面には、副制御基板を収納した補助収納ケース５２０が装着されている。この副制御基板は、効果音、演出用ランプ、リールバックランプ、演出表示部等で実行される演出を制御する副制御部４００を構成する電気部品を実装した制御基板である。副制御基板は、基板収納ケースに収納された主制御基板の送信する制御コマンドに従って演出を制御する。
【００７６】
図示していないが外部中継端子板は、スロットマシン１００から出力される遊技情報をホールコンピュータに送信するためのインターフェース基板である。そして、この外部中継端子板から出力される遊技情報は、ホールコンピュータに送られて集計される。
【００７７】
図４は、前面扉１０２を開いた状態のスロットマシン１００を示す斜視図である。即ち、本体部としてのキャビネット２１０の内部には、メイン制御基板（図示せず）が配置され、このメイン制御基板の下方に、３つのリール１１０〜１１２を備えるリールユニット２２０が配置されている。また、前記メイン制御基板及びリール１１０〜１１２の側方、即ち向って左側の側板２１４には、サブ制御基板を収納した補助収納ケース５２０が配設してある。
【００７８】
そして、リール１１０〜１１２の下方には、メダル払出装置５１０が配設され、このメダル払出装置５１０の後方、即ち後板２１３側には、図示していないが、電源基板を有する電源装置が配設される。また、前記メダル払出装置５１０の右側には、メダル補助収納部５３０が配設してある。
【００７９】
本発明に係る遊技台は、例えば前面扉１０２が開いているスロットマシン１００の転倒を防止するスタンド７００を備えている。また、遊技台には、使用しないスタンド７００を収納可能な収納位置が形成してある。一方、スタンド７００を使用するときには、スタンド７００を転倒防止位置に移動させて転動防止機能を発揮させる。
【００８０】
例えば、図４〜図６に示す実施例では、収納位置を本体部であるキャビネット２１０側に形成している。即ち、キャビネット２１０の左下隅部（図面において、以下同じ）に、スタンド７００の収納位置を形成し、スタンド７００が前後方向に移動可能なように、複数の取付部材７１０によって取り付けられている。このスタンド７００は、先端側が下向きに屈曲すると共に、後端側が上向きにやゝ屈曲した角棒状の部材である。
【００８１】
具体的には、スタンド７００の先端側には、例えば約１２０〜１３５度程度の内角を持って下向きに屈曲する屈曲部７０１が形成してある。また、スタンド７００は、少なくとも２点を、取付部材７１０によって、先端側をやゝ下げた状態、言い換えると後端側をやゝ上げた状態で、キャビネット２１０の左側板２１４に、前後方向にスライド可能に取り付けてられている。
【００８２】
従って、スタンド７００は、左側板２１４に沿って前後方向に平行移動される。また、スタンド７００は角棒状であるので、平行移動する際に、取付部材７１０内で回転することがなく、先端の向きが変わらない。
【００８３】
本体部であるキャビネット２１０には、前記したように、リールユニット２２０や制御基板など、諸装置が収納されている。そして、収納された装置の内の一つを、所定装置に設定する。例えば、点検等で着脱される機会も比較的多く、タンク５１２に収納するメダルの重量により、遊技台内部に収納される装置の中で最も重い装置となり得るメダル払出装置５１０、即ちホッパー５１０を、所定装置とする。このホッパー５１０は、遊技台内部から取り外されると、キャビネットの重量が大幅に軽くなることから、キャビネットと開放した扉部との重量バランスが大きく変化する。そして、所定装置に設定したホッパー５１０には、スタンド７００に当接可能な当接部７１２を設ける。この当接部７１２は、ホッパー５１０の払出装置本体５１１に、横方向に延出する腕状部材として設けてある。尚、ホッパー５１０は、キャビネット２１０の底板２１２上に設けた台座ガイド板５１３によって、前後方向にスライド可能に、取り付けられる（図５参照）。
【００８４】
そこで、ホッパー５１０を取り外すために、手前に引き出すと、当接部７１２がスタンド７００の先端側に設けた屈曲部７０１の内側に当接するため、ホッパー５１０の移動に伴って、スタンド７００が引き出される。このとき、スタンド７００は、若干前下がりの斜めに取り付けられているので。引き出されると、スタンド７００の下端、言い換えると先端部分の下面が床面に接近し、更に接するようになる（図６（ｂ）参照）。
【００８５】
ホッパー５１０が、台座ガイド板５１３から外れる位置にきたら、ホッパー５１０を若干回転させるようにして、当接部７１２とスタンド７００との当接を解き、ホッパー５１０を外す（図６（ｃ）参照）。この状態では、スタンド７００の下端が、スロットマシン１００を載置した床面に当接するため、前面扉１０２が開いた状態にあるスロットマシン１００を支えることができ、スロットマシン１００の転倒を防止する。そこで、この位置が、スタンド７００が転倒防止機能を発揮する転倒防止位置となる。
【００８６】
一方、スタンド７００を収納するには、スタンド７００を取付部材７１０に沿って押し込めばよい。即ち、スタンド７００をキャビネット２１０内に押し込むと、スタンド７００が取付部材７１０に案内されて、後方へ向けて平行移動し、先端側の屈曲部７０１が移動に伴って上昇し、下端が床面から離れ、スタンド７００がキャビネット２１０内の収納位置に収納される。
【００８７】
この実施例によれば、ホッパー５１０、即ち所定装置を手前に引き出すと、所定装置に設けた当接部７１２がスタンド７００の屈曲部７０１の内側に当接し、更に所定装置を引き出すと、当接部７１２を介してスタンド７００が前方に引き出され、スタンド７００の下端が床に当接して、遊技台の転倒を防止することができる。従って、ホッパー５１０の取り外し作業を行なう際に、スタンド７００を掛け忘れることがなく、転倒の危険がない安全な状態で作業ができる。
【００８８】
一方、例えばホッパー５１０の修理点検が終了し、或いは交換が終了した場合には、ホッパー５１０をキャビネット２１０に取り付ける共に、スタンド７００をキャビネット２１０内に押し込めばよい。従って、スタンド７００を使用しないときには、スタンド７００をキャビネット２１０の収納位置に収納しておくことができ、スタンド７００が邪魔になることがない。
【００８９】
なお、所定装置であるホッパー５１０に設けた当接部７１２は、必要が無くなったならば、取り外してもよい。例えば、遊技台の島に対する設置が完了したならば、遊技台が転倒することはないので、当接部７１２を外しても、何ら支障を生じることがない。更に、スタンド７００は、所定の位置に収納されているので、邪魔になることがない。
【００９０】
また、この実施例では、点検等で着脱される機会も比較的多いホッパー５１０を所定装置に設定して、このホッパー５１０に当接部７１２を設けているが、当接部７１２は他の装置であってもよく、例えば、着脱可能に配置されているリールユニット２２０やメダル補助収納部５３０に当接部７１２を設けてもよい。
【００９１】
更に、この実施例では、スタンド７００が移動する際に、スタンド７００の下端が下降して床面に接するように構成してあるが、スタンド７００に伸縮部を設けて下端が床面に接するように構成してもよい。
【００９２】
図７〜図９は、他の実施例を示し、図７はスタンド７００を収納した状態の扉部を開いた遊技台としてのスロットマシン１００の斜視図、図８はスタンド７００を使用している状態の扉部を開いたスロットマシン１００の斜視図、図９はスタンド７００を備えるスロットマシン１００の説明図である。尚、この実施例において、前記した図４〜図６に示す実施例と同じ機能を備える部材には、同一符号を付して説明を省略する。
【００９３】
この図７〜図９に示す実施例においては、スタンド７００を扉部に収納している。即ち、この実施例では、扉部である前面扉１０２にスタンド７００の収納位置を形成し、この収納位置に、ほゞ横Ｌ字状のスタンド７００を回動可能に収納している。
【００９４】
具体的には、扉部である前面扉１０２の一側辺を一対のヒンジ装置２３０によって本体部であるキャビネット２１０に開閉可能に設けたスロットマシン１００において、扉部の自由端側の下隅部を基本として、扉部の下縁に沿う長手部分と、下隅部から立ち上がる短手部分とからなる収納位置が形成してある。そして、この収納位置に、やゝ横長な棒状の横材部分７０２と、高さの比較的低い縦材部分７０３とが、約９０度以上の角度を持って屈曲するほゞ横Ｌ字状のスタンド７００を、回転取付部材７２０を介して回転可能に取り付けている。
【００９５】
回転取付部材７２０は、収納位置に収納されたスタンド７００を、横材部分７０２の先端が床面に接して転倒防止機能を発揮する転倒防止位置に向けて、移動可能に取り付ける部材である。即ち、回転取付部材７２０は、スタンド７００の縦材部分７０３を前面扉１０２に回転可能に軸着すると共に、スタンド７００の横材部分７０２を収納位置から引き出すように回転させると、横材部分７０２の先端が下降して床面に接し、或いは接近するように構成してある。そして、先端が床面に接し、或いは接近した位置が、遊技台であるスロットマシン１００の転倒を防止する機能を発揮する転倒防止位置となる。
【００９６】
この実施例におけるスタンド７００の使用法を簡単に説明する。先ず、スタンド７００を使用しないときは、図９（ａ）に破線で示すように、閉止された前面扉１０２の収納位置に収納されている。
【００９７】
次に、スタンド７００を使用する場合には、先ず、図７及び図９（ｂ）に示すように、前面扉１０２を例えば約９０度開く。この状態では、依然として、前面扉１０２に形成した収納位置にスタンド７００が収納されている。
【００９８】
そこで、スタンド７００の横材部分７０２の先端を引き出すように回転させると、横材部分７０２と縦材部分７０３との屈曲角度の設定及び回転取付部材７２０の作用によって、回転に伴って横材部分７０２の先端が床面に接近するように下降し、図８及び図９（ｃ）に示すように、本体部であるキャビネット２１０と扉部である前面扉１０２とがほゞ直交し、スタンド７００の横材部分７０２と前面扉１０２とがほゞ直交し、言い換えると、スタンド７００の横材部分７０２とキャビネット２１０とがほゞ直交する状態となる。
【００９９】
この状態では、スタンド７００の横材部分７０２の先端が床面に接近し、或いは接しているので、前面扉１０２が開いた状態にあるスロットマシン１００の転倒を防止可能である。
【０１００】
スタンド７００には、注意を喚起するための彩色を施すとよい。例えば、明暗差が大きくよく目立つ、黄色と黒により所謂「トラ模様」とすれば、前面扉１０２を開けたときに、スタンド７００が視界に飛び込んで、スタンド７００を掛け忘れることがない。
【０１０１】
ところで、スタンド７００を掛け忘れて不安定な状態で作業をすることがないように、前記した実施例と同様に、ホッパー５１０を取り外す際に、この取り外し操作に連動して、スタンド７００の設置が必要なことを示唆する、例えばミニスタンドや表示札が出現するように構成することもできる。ホッパー５１０やリールユニット２２０等の諸装置を取り外して、キャビネット２１０側の重量が軽くなっているスロットマシン１００において、スタンド７００の掛け忘れを防止することは、実用的価値が極めて高い。
【０１０２】
図１０及び図１１は、本発明の更に他の実施例を示し、図１０は扉部である前面扉１０２を開いた状態の遊技台としてのスロットマシン１００の斜視図、図１１はスタンド７００を備えるスロットマシン１００の説明図である。この実施例においては、スタンド７００が、前面扉１０２の開閉に連動して、収納位置と転倒防止位置との間を移動するように構成してある。
【０１０３】
即ち、この実施例において、スタンド７００は、例えば板状の部材からなり、このスタンド７００の収納位置は、前面扉１０２の外側下面、言い換えると前面扉１０２の外部に形成してある。また、前面扉１０２には、スタンド７００を回転自在に装着する回転装着部７３０が設けてある。更に、スタンド７００には、前面扉１０２の開閉動作に連動させるための移動補助部材７４０の一端を連結し、この移動補助部材７４０の他端部は、スロットマシン１００の本体部であるキャビネット２１０に連結してある。
【０１０４】
具体的には、前面扉１０２の下面に、スタンド７００を収納する収納位置を形成すると共に、前面扉１０２の横幅のほゞ中央部分に、スタンド７００を回転自在装着する回転装着部７３０を設けている。そこで、スタンド７００は、前面扉１０２の下面に収まるように、即ち、前面扉１０２の底板の範囲内から飛び出ないように、長さ及び横幅が設定してある。また、スタンド７００の厚さは、前面扉１０２の開閉の邪魔にならないように、前面扉１０２の下面とスロットマシン１００を載置した床面との隙間に収まる厚さである。
【０１０５】
スタンド７００とキャビネット２１０との間には、前面扉１０２の開閉と、スタンド７００の回転移動とを連動させる、リンク機構を構成する移動補助部材７４０を設ける。この移動補助部材７４０は、一端を、スタンド７００に揺動自在に軸着すると共に、他端をキャビネット２１０の底板２１２の前縁付近に揺動自在に軸着する。
【０１０６】
移動補助部材７４０は、本体側の端部付近で分割してある。即ち、移動補助部材７４０を本体側の短尺部７４１と、スタンド７００側の長尺部７４２とに分割し、両者を軸部により揺動自在に接続している。従って、移動補助部材７４０は、軸部を支点に、自由に屈曲可能である。
【０１０７】
移動補助部材７４０の短尺部７４１を揺動自在に軸着する底板２１２の前辺部分には、移動補助部材７４０を収納可能な収納凹部７４３を設ける。この収納凹部７４３は、図１１に示すように、底面２１２側と前面側が開口し、短尺部７４１と長尺部７４２の一部とが重なった状態でも、移動補助部材７４０と床面とが干渉することなく収納可能な高さを有している。尚、図１１に示す実施例は、収納凹部７４３が、底板２１２の前辺部分に沿って十分大きく形成してある。また、底板２１２には、必要に応じて、メダル回収口２１５が開設してある。
【０１０８】
次に、この実施例におけるスタンド７００の動作を、図１１を参照して説明する。スタンド７００を使用しない状態、即ち、図１１（ａ）及び（ｂ）に示す状態では、移動補助部材７４０の短尺部７４１が、底板２１２の前縁とほゞ平行に位置して収納凹部７４３に収納されると共に、長尺部７４２の一部が収納凹部７４３に斜めに収納され、残りの部分が前面扉１０２の下方に位置する。また、スタンド７００が前面扉１０２の下面に形成された収納位置に収納されている。
【０１０９】
そこで、前面扉１０２をキャビネット２１０の側板２１４に設けた一対のヒンジ装置２３０を支点に回動させて開放すると、移動補助部材７４０の長尺部７４２が引き出されると共に、短尺部７４１が収納凹部７４３から引き出され、長尺部７４２と短尺部７４１とが、ほゞ直線状に位置する。更に、前面扉１０２を回動させると、移動補助部材７４０によって、スタンド７００が一端側が牽引されるので、回転装着部７３０を支点に回動する。そして、ヒンジ装置２３０の制限により前面扉１０２が最大開放位置に達すると、図１１（ｃ）に示すように、スタンド７００が、前面扉１０２とほゞ直交する位置に停止する。尚、前面扉１０２の最大開放位置は、前面扉１０２をキャビネット２１０に開閉可能に止着するヒンジ装置２３０によって設定される。
【０１１０】
スタンド７００と前面扉１０２とがほゞ直交する位置にある状態では、遊技台としてのスロットマシン１００の転倒が防止される。即ち、スタンド７００が、前面扉１０２の前面側及び後面側に延出しているので、前面側への転倒に対しても、後面側への転倒に対して有効に作用する。そして、この実施例においては、スタンド７００が前面扉１０２とほゞ直交する位置が、転倒防止機能を発揮する転倒防止位置となる。
【０１１１】
一方、前面扉１０２を閉止する際には、前面扉１０２の回動に伴って、スタンド７００が戻り回動すると共に、移動補助部材７４０の長尺部７４２と短尺部７４１とが軸着部で屈曲される。従って、スタンド７００が前面扉１０２の下面に移動すると共に、移動補助部材７４０の短尺部７４１が収納凹部７４３に収納される。そして、更に前面扉１０２を回動させて、前面扉１０２の閉止を完了させると、移動補助部材７４０の長尺部７４２が、図１１（ｂ）に示すように、収納凹部７４３と前面扉１０２の下方に、斜めに収納され、スタンド７００が収納位置に収納される。
【０１１２】
尚、図示していないが、前面扉１０２の開動作に伴ってスタンド７００が回転する際には、回転しながら下降し、最大開放位置では、床面と接するか接近するように、回転装着部７３０が構成してある。
【０１１３】
図１２は、本発明の他の実施例を説明する概略斜視図である。（ａ）に示す実施例では、スタンド７００を、扉部である前面扉１０２の自由端側の縦側辺に沿って、縦方向に収納している（［ａ−１］参照）この実施例におけるスタンド７００は、棒状の部材であって、上端部分を軸着部７５０によって、所定の角度範囲で回動可能に前面扉１０２の内面に軸着される。また、この軸着部７５０は、上下方向にスライド可能で、所定の位置に停止するように構成してあり、所定の位置に停止した場合、スタンド７００の下端部分が、床面と接するか接近するように構成されている。
【０１１４】
そこで、［ａ−１］に示すように、スタンド７００を使用しない場合には、スタンド７００の下端が前面扉１０２の下面から突出することがないように、軸着部７５０を上方へ移動させてスタンド７００を収納する。
【０１１５】
一方、スタンド７００を使用する場合には、［ａ−２］に示すように、スタンド７００が開放した前面扉１０２に対して斜めに位置するように引き出すと共に、軸着部７５０を下降させて、下端部分が床面に接するか接近するようにする。この状態では、前面扉１０２が開いて不安定な状態になっていても、スタンド７００が支え棒として機能するので転倒する危険がない。
【０１１６】
また、図示の実施例では、遊技台としてスロットマシン１００について説明しているが、この実施例は、パチンコ機についても容易に適用可能である。即ち、本体外枠と、前記本体外枠に開閉可能に支持された遊技盤枠と、前記遊技盤枠の前面側を覆い前記遊技盤との間に遊技領域を形成するガラス板を支持するガラス枠と、前記遊技領域に発射された遊技球により所定の入賞状態となった場合に予め設定された数の遊技球を賞球として排出するパチンコ機にも適用可能である。例えば、スタンド７００を遊技盤枠の側辺に沿って収納し、本体外枠に対して遊技盤枠を開いたときに、スタンド７００を使用することもできる。更に、扉部としてガラス扉部に適用することもできる。即ち、スタンド７００をガラス枠の側辺に沿って収納し、ガラス枠を開いたときに、スタンド７００を使用することもできる。
【０１１７】
図１２（ｂ）に示す実施例は、スタンド７００が扉部としての前面扉１０２の下面から突出するように構成したものである。即ち、スタンド７００が、前面扉１０２の自由端側の下隅部分において、前面扉１０２の底板を上下方向に貫通している。また、このスタンド７００には、位置を所定の位置に保持するストッパ手段７５１が設けてある。
【０１１８】
そこで、スタンド７００を使用しない状態では、スタンド７００の下端が前面扉１０２の底板から下方へ突出しないように、ストッパ手段７５１によって保持される（［ｂ−１］参照）。一方、スタンド７００を使用するときには、ストッパ手段７５１を一旦解除して、スタンド７００の下端部分を前面扉１０２の底面から下方へ突出させ、下端部分を床面に接近或いは当接させる（［ｂ−２］参照）。また、一旦解除したストッパ手段７５１を、再び機能させて、スタンド７００に力が加わっても後退しないように保持する。
【０１１９】
このような構成のスタンド７００によっても、前面扉１０２が開放状態にある遊技台であるスロットマシン１００の転倒を防止できる。
【０１２０】
図１２（ｃ）に示す実施例は、スタンド７００を本体部であるキャビネット２１０の外側に設けたものである。即ち、この実施例においては、キャビネット２１０を形成する側板２１４の外側に、縦方向の収納溝７５２を設け、この収納溝７５２にスタンド７００を収納している（［ｃ−１］参照）。
【０１２１】
そして、この収納溝７５２内には、スタンド７００の上端部分を回動可能に軸着する軸着部７５３が、スライド自在に設けてある。また、軸着部７５３には、停止手段を設けて、軸着部７５３が所定の位置に停止するように構成してある。また、この停止手段は、スタンド７００の回動範囲を規制する機能を有している。
【０１２２】
従って、スタンド７００を、軸着部７５３により所定の角度まで回動させると共に、スタンド７００の下端部分が床面に接近或いは当接するように軸着部７５３を停止手段により所定の位置に停止させる。この状態では、スタンド７００が支え棒として機能するので遊技台であるスロットマシン１００が転倒することがなく、床面に安定して載置される（［ｃ−２］参照）。更に、スロットマシン１００が島に設備に取り付けられた状態では、この収納溝７５２が島内に収まる位置となるので、遊技者に外部から悪戯に操作されるようなこともない。
【０１２３】
ところで、遊技台を遊技店の島に設置してしまうと、転倒を防止するためのスタンド７００は不要となる。そこで、図１３（ａ）に示す実施例においては、スタンド７００が遊技者の利便となるように構成してある。即ち、前面扉１０２の下面にスタンド７００を回動可能に装着し、スタンド７００を使用しないときは、前面扉１０２の下面に収納してしまうのである。一方、スタンド７００として使用するときには、開いた前面扉１０２の内側に回動させる。この状態では、スタンド７００が遊技台としてのスロットマシン１００の転倒を防止する。
【０１２４】
そして、遊技台としてのスロットマシン１００を遊技店の島に設置した後には、スタンド７００を前面扉１０２の前方側に回動させ、スタンド７００の先端部分を前面扉１０２の前面から突出させる。この状態では、図１３（ｂ）に示すように、遊技者のバック等を引っ掛けることができ、遊技者はバック等を抱えながら遊技を行なう必要がなく、遊技に集中できる。
【０１２５】
従って、この実施例によれば、遊技台の転倒を防止できるばかりではなく、遊技者の利便性を著しく高めることができる。
【０１２６】
＜遊技台転倒防止スタンド＞
次に、本体部であるキャビネット２１０と扉部である前面扉１０２とを備えた遊技台であるスロットマシン１００に用いる遊技台転倒防止スタンド８００について説明する。この遊技台転倒防止スタンド８００は、基本的には、スロットマシン１００の開いた前面扉１０２に係止させて使用する。そこで、このスロットマシン１００用の転倒防止スタンド７００には、開いた状態の前面扉１０２に係止する係止部８１０が設けてある。
【０１２７】
一般に、スロットマシン１００は、本体部であるキャビネット２１０に、扉部である前面扉１０２がヒンジ装置によって開閉可能に装着されている。また、キャビネット２１０を構成する側板２１４の前側辺が、上方が後退すると共に下方が前進するように傾斜している。更に、前面扉１０２と床面との間の空間部が、前方が広く開口するように、底面を傾斜させている機種もある。
【０１２８】
そこで、前面扉１０２を開くと、例えば前面扉１０２とキャビネット２１０とがほゞ直交するように、ほゞ９０度開くと、前面扉１０２の下面と床面との間に、側面からみるとＶ字状の空間が生じる。この状態は、前記したように、前面扉１０２とキャビネット２１０とのバランスが崩れて転倒し易く、ホッパー５１０やリールユニット２２０を外している場合は、なおさら転倒し易い。
【０１２９】
遊技台転倒防止スタンド８００は、開いた前面扉１０２の下方に形成されるＶ字状の空間部に、楔状に差込み可能な基板部８２０と、この基板部８２０から立設して前面扉１０２の前面または後面に係止可能な係止部８１０とを備えている（図１４参照）。
【０１３０】
基板部８２０は、平面図の形状はほゞ矩形であって、側面図の形状は、図１４（ｃ）に示すように、一方の縦辺の高さＸが他方の縦辺の高さＹよりも若干低く、上横辺が下り傾斜している。即ち、基板部８２０の上面８１１は、一側に向って下り傾斜する斜面となっている。
【０１３１】
一方、係止部８１０は、図１４の実施例では、前面扉１０２の前面側及び後面側から係止するように、基板部８２０の上に、前面扉１０２の厚さ、言い換えると前後方向の距離に対応する間隔で、一対立設してある。
【０１３２】
遊技台転倒防止スタンド８００の使用法は、極めて簡単である。即ち、一対の係止部８１０の間に前面扉１０２が位置するように、基板部８２０を開いた前面扉１０２の下方に形成された空間部に差し込めばよい（図１４（ｂ）参照）。この状態では、スロットマシン１００に何れの方向から力が加わった場合でも、どの方向に対しても対処することができ、スロットマシン１００の転倒を確実に防止できる。
【０１３３】
また、スロットマシン１００には、前面扉１０２の下面を傾斜させて、前面扉１０２を閉止している状態であっても、前面扉１０２の下面と床面との間に空間部が生じている機種も存在している。このようなスロットマシン１００を床面に載置した状態では、前記空間部のために、スロットマシン１００が前のめりに転倒することがある。
【０１３４】
そこで、基板部８２０の上面８１１の一部に支持面８１２を形成し、この支持面８１２を前面扉１０２と床面との間の空間部に挿入することにより、前のめりの転倒を防止可能にすることも可能である。即ち、図１４（ｄ）に示すように、一方の係止部８１０の外側の上面を、基板部８２０の長手方向に沿って、外側に向って下り傾斜する支持面８１２とするのである。尚、この支持面８１２は、開いた前面扉１０２の係止には影響しない部位である。
【０１３５】
この実施例による支持面８１２を有する遊技台転倒防止スタンド８００は、図１４（ｅ）に示すように、前面扉１０２を閉止した状態のスロットマシン１００において、前面扉１０２の下方の空間に支持面８１２を有する基板部８２０を挿入し、この支持面８１２が前面扉１０２の下面を支えることにより、スロットマシン１００の転倒を防止する。
【０１３６】
図１４（ｆ）に示す遊技台転倒防止スタンド８００は、パイプ材或いは棒材等を屈曲成形させることによって作成したものである。即ち、この実施例においては、遊技台転倒防止スタンド８００を、基板部として左右に延出する４本の脚部８３１と、係止部８１０として起立する逆Ｕ字状の起立部８３２と、左右の起立部８３２を繋ぐ前後の基板辺８３４、８３５と、から構成している。そして、前側の基板辺８３４よりも、後側の基板辺８３５が高くなるように構成している。これは、前後の基板辺８３４、８３５を前面扉１０２の下方に生じるＶ字状の空間部に挿入したときに、各基板辺８３４、８３５が前面扉１０２の下面にそれぞれ当接するようにしたためである。
【０１３７】
一方、左右の起立部８３２は、前面扉１０２の前面及び後面に係止する。従って、この実施例によっても、スロットマシン１００の転倒を防止することができる。また、この実施例による遊技台転倒防止スタンド８００によれば、重ねて保管することも可能で、保管スペースを取らないという利点もある。更に、この遊技台転倒防止スタンド８００は、金属材或いは合成樹脂等により、簡単に製造することができ、コストが掛からない。
【０１３８】
以上、本発明を図示の実施例について説明したが、本発明は前記した各実施例に限定されるものではなく、特許請求の範囲に記載した構成を変更しない限り適宜に実施できる。例えば、遊技台としてスロットマシンについて説明したが、本発明は、扉部を、種々の装置を備える遊技盤枠、或いはガラスを装着したガラス枠とし、本体部を、前記遊技盤枠を開閉自在に装着する本体外枠とすることにより、パチンコ機に容易に適用することができる。
【図面の簡単な説明】
【０１３９】
【図１】遊技台の一例であるスロットマシンの斜視図である。
【図２】制御部の概略構成図である。
【図３】主制御部によるメイン処理を示すフローチャートである。
【図４】スタンドを収納したスロットマシンの扉部を開いた状態の斜視図である。
【図５】ホッパーを外すと共に、スタンドが使用状態にあるスロットマシンの斜視図である。
【図６】スタンドの使用法の説明図である。
【図７】スタンドを収納したスロットマシンの扉部を開いた状態の斜視図である。
【図８】スタンドが使用状態にあるスロットマシンの斜視図である。
【図９】スタンドの使用法の説明図である。
【図１０】スタンドが使用状態にあるスロットマシンの斜視図である。
【図１１】スタンドの使用法の説明図である。
【図１２】他の実施例を示すスロットマシンの概略斜視図である。
【図１３】他の実施例を示すスロットマシンの斜視図であり、（ａ）はスタンドとして使用する場合、（ｂ）はフックとして使用する場合を示す。
【図１４】遊技台転倒防止スタンドの説明図であり、（ａ）は遊技台転倒防止スタンドと遊技台としてのスロットマシンの概略斜視図、（ｂ）は遊技台転倒防止スタンドの使用状態の斜視図、（ｃ）は遊技台転倒防止スタンドの側面図、（ｄ）は遊技台転倒防止スタンドの他の実施例の斜視図、（ｅ）は遊技台転倒防止スタンドの使用状態の斜視図、（ｆ）は遊技台転倒防止スタンドの他の実施例の斜視図である。
【符号の説明】
【０１４０】
１００  スロットマシン
１０２  前面扉
１１０  左リール
１１１  中リール
１１２  右リール
１１３  絵柄表示窓
２１０  キャビネット
２１１  上板
２１２  底板
２１２  底面
２１３  後板
２１４  側板
５１０  メダル払出装置
５２０  補助収納ケース
５３０  メダル補助収納部
６００  演出装置
７００  スタンド
７０１  屈曲部
７０２  横材部分
７０３  縦材部分
７１０  取付部材
７１２  当接部
７２０  回転取付部材
７３０  回転装着部
７４０  移動補助部材
７４１  短尺部
７４２  長尺部
７４３  収納凹部
７５０  軸着部
７５１  ストッパ手段
７５２  収納溝
７５３  軸着部
８００  遊技台転倒防止スタンド
８１０  係止部
８１１  上面
８１２  支持面
８２０  基板部
８３１  脚部
８３２  起立部
８３４  基板辺
８３５  基板辺
【図１】
0004778810.tif 000002
【図２】
0004778810.tif 000003
【図３】
0004778810.tif 000004
【図４】
0004778810.tif 000005
【図５】
0004778810.tif 000006
【図６】
0004778810.tif 000007
【図７】
0004778810.tif 000008
【図８】
0004778810.tif 000009
【図９】
0004778810.tif 000010
【図１０】
0004778810.tif 000011
【図１１】
0004778810.tif 000012
【図１２】
0004778810.tif 000013
【図１３】
0004778810.tif 000014
【図１４】
0004778810.tif 000015